(57)【要約】【課題】作業者への身体的負担を軽減することができ、作業時間を短縮して多点測定の高効率化を図ることができること。【解決手段】この発明は、移動部材２０を有するカート本体２と、カート本体２に取り付けられている移動操作部材３と、カート本体２に設けられている測定装置取付部材４と、を備える。この結果、この発明は、作業者への身体的負担を軽減することができ、作業時間を短縮して多点測定の高効率化を図ることができる。【選択図】        図１
2019020221.tif 000002
【特許請求の範囲】
【請求項１】
床面上を移動することができる移動部材を有するカート本体と、
一端が前記カート本体に取り付けられていて、操作力を前記カート本体に伝達して前記カート本体を前記床面上を移動させる移動操作部材と、
前記カート本体に設けられている測定装置取付部と、
を備える、
ことを特徴とする測定補助カート。
【請求項２】
前記測定装置取付部は、前記カート本体に測定装置を取り付ける測定装置取付部材である、
ことを特徴とする請求項１に記載の測定補助カート。
【請求項３】
前記移動操作部材は、長手方向に伸縮可能である棒形状をなす、
ことを特徴とする請求項１または２に記載の測定補助カート。
【請求項４】
前記移動操作部材の他端には、測定装置により測定された測定値を表示する表示部が取り付けられる表示部取付部材が、設けられている、
ことを特徴とする請求項１〜３のいずれか１項に記載の測定補助カート。
【請求項５】
前記測定装置取付部材は、一端が前記カート本体に取り付けられていて、他端に測定装置が取り付けられる棒形状をなし、かつ、床面に対して垂直もしくはほぼ垂直方向に伸縮可能である、
ことを特徴とする請求項２〜４のいずれか１項に記載の測定補助カート。
【請求項６】
前記移動操作部材には、長さ目盛が付されている、
ことを特徴とする請求項１〜５のいずれか１項に記載の測定補助カート。
【請求項７】
前記移動操作部材の他端には、前記移動操作部材が作業者から脱落するのを防ぐ脱落防止部材が、設けられている、
ことを特徴とする請求項１〜６のいずれか１項に記載の測定補助カート。
【請求項８】
前記測定装置取付部に取り付けられている測定装置を備える、
ことを特徴とする請求項１〜７のいずれか１項に記載の測定補助カート。
【請求項９】
前記測定装置は、照度測定装置であり、
前記カート本体、前記移動操作部材もしくは前記測定装置取付部のうち少なくとも１つは、反射光が前記照度測定装置に入射するのを防ぐ部材からなり、または、前記少なくとも１つには、反射光が前記照度測定装置に入射するのを防ぐ処理が、施されている、
ことを特徴とする請求項８に記載の測定補助カート。
【発明の詳細な説明】
【技術分野】
【０００１】
本発明は、作業者が環境の照度、塵埃濃度、温度、湿度、ガス濃度などを測定する時に、作業者の補助となる測定補助カートに関する。
【背景技術】
【０００２】
例えば、室内照明の明るさや照明機器の照度を測定する照度測定装置として、以下の特許文献１がある。特許文献１の照度計は、受光部と、演算制御装置（ＣＰＵ）を有する計測部と、表示部と、操作部と、を有する。特許文献１の照度計は、計測部において受光部による受光量に応じて照度を測定し、その測定した測定値を表示部において表示する。
【０００３】
以下、作業者により、特許文献１の照度計を使用した照度測定作業（以下、単に「特許文献１の照度測定作業」と称する）について説明する。まず、体育館などで、ＪＩＳ規格で定められている床面から１５ｃｍ以下の高さの照度測定ポイントの場合について説明する。この場合において、受光部と表示部とは、無線もしくは有線を介して信号入出力を行う。１−作業者は、照度測定ポイントに移動する。２−作業者は、受光部を照度測定ポイントの床面上に設置する。この時、作業者の屈伸動作が発生する。３−受光部が作業者の影や反射などの影響を受けないように、作業者は、受光部から離れる。４−作業者は、携えている表示部に表示されている測定値を読み取る。５−作業者は、受光部に戻って、受光部を回収する（拾う）。この時、再び、作業者の屈伸動作が発生する。６−作業者は、前記の１〜５の作業を繰り返す。
【０００４】
つぎに、オフィスなどで、同じくＪＩＳ規格で定められている床面から８０ｃｍ〜１００ｃｍの高さの照度測定ポイントの場合について説明する。１−作業者は、照度計を手で持って、メジャーで照度計の照度測定ポイントの高さを確認しながら、作業姿勢（照度計の高さ）を決める。２−作業者は、照度測定ポイントに移動する。３−作業者は、前記の１で決めた作業姿勢を取る。４−作業者は、受光部で測定されて本体部の表示部に表示されている測定値を読み取る。５−作業者は、前記の１〜４の作業を繰り返す。
【０００５】
ここで、照度測定ポイントの数は、施設の規模などにより異なるが、数百から数千に及ぶ。
【先行技術文献】
【特許文献】
【０００６】
【特許文献１】特開２０１５−４９０５１公報
【発明の概要】
【発明が解決しようとする課題】
【０００７】
しかしながら、特許文献１の照度測定作業は、照度測定ポイントの高さが床面から１５ｃｍ以下の場合、１回の照度測定で、前記の２と５との２回の屈伸動作が発生する。このため、特許文献１の照度測定作業は、数百から数千に及ぶ屈伸動作が必要となるので、作業者への身体的負担が大きい。しかも、特許文献１の照度測定作業は、前記の１の移動、前記の２の設置、前記の３の離れ、前記の５の回収などの作業を必要とするので、作業時間がかかる。
【０００８】
また、特許文献１の照度測定作業は、照度測定ポイントの高さが床面から８０ｃｍ〜１００ｃｍの場合、作業者が前記の３において前記の１で決めた作業姿勢を取る必要がある。このため、特許文献１の照度測定作業は、作業者の作業姿勢によって、照度計の床面からの高さが変動する場合があり、照度を正確に測定することが難しい。しかも、特許文献１の照度測定作業は、作業者が照度計を手で持った状態で照度測定を行う必要がある。このため、特許文献１の照度測定作業は、作業者が作業者の腕の長さよりも長く、照度計から離れることができず、照度計の受光部が作業者の影や反射などの影響を受け易く、照度を正確に測定することが難しい。
【０００９】
その上、特許文献１の照度測定作業は、作業者が作業姿勢を長い時間取りかつ保つ必要があるので、作業者への身体的負担が大きい。しかも、特許文献１の照度測定作業は、前記の３の作業者が作業姿勢を取るのに時間がかかるので、作業時間が長時間化する傾向にある。
【００１０】
本発明が解決しようとする課題は、作業者への身体的負担を軽減することができ、しかも、作業時間を短縮して多点測定の高効率化を図ることができる測定補助カートを提供することにある。
【課題を解決するための手段】
【００１１】
本発明の測定補助カートは、床面上を移動することができる移動部材を有するカート本体と、一端がカート本体に取り付けられていて、操作力をカート本体に伝達してカート本体を床面上を移動させる移動操作部材と、カート本体に設けられている測定装置取付部と、を備える、ことを特徴とする。
【００１２】
本発明の測定補助カートは、測定装置取付部が、カート本体に測定装置を取り付ける測定装置取付部材である、ことが好ましい。
【００１３】
本発明の測定補助カートは、移動操作部材が、長手方向に伸縮可能である棒形状をなす、ことが好ましい。
【００１４】
本発明の測定補助カートは、移動操作部材の他端には、測定装置により測定された測定値を表示する表示部が取り付けられる表示部取付部材が、設けられている、ことが好ましい。
【００１５】
本発明の測定補助カートは、測定装置取付部材が、一端がカート本体に取り付けられていて、他端に測定装置が取り付けられる棒形状をなし、かつ、床面に対して垂直もしくはほぼ垂直方向に伸縮可能である、ことが好ましい。
【００１６】
本発明の測定補助カートは、移動操作部材には、長さ目盛が付されている、ことが好ましい。
【００１７】
本発明の測定補助カートは、移動操作部材の他端には、移動操作部材が作業者から脱落するのを防ぐ脱落防止部材が、設けられている、ことが好ましい。
【００１８】
本発明の測定補助カートは、測定装置取付部に取り付けられている測定装置を備える、ことが好ましい。
【００１９】
本発明の測定補助カートは、測定装置が、照度測定装置であり、カート本体、移動操作部材もしくは測定装置取付部のうち少なくとも１つが、反射光が照度測定装置に入射するのを防ぐ部材からなり、または、少なくとも１つには、反射光が照度測定装置に入射するのを防ぐ処理が、施されている、ことが好ましい。
【発明の効果】
【００２０】
本発明は、作業者への身体的負担を軽減することができ、しかも、作業時間を短縮して多点測定の高効率化を図ることができる測定補助カートを提供することができる。
【図面の簡単な説明】
【００２１】
【図１】図１は、本発明の実施形態１に係る測定補助カートを示す照度測定作業の使用状態説明図である。
【図２】図２は、カート本体、移動操作部材の一部および照度測定装置を示す斜視図である。
【図３】図３は、移動操作部材の一部、表示部取付部材および表示部を示す斜視図である。
【図４】図４は、カート本体、移動操作部材の一部、測定装置取付部材および照度測定装置を示す側面図（図２におけるＩＶ矢視図）である。
【図５】図５は、本発明の実施形態２に係る測定補助カートを示す側面図（図４に対応する側面図）である。
【図６】図６は、本発明の実施形態３に係る測定補助カートを示す照度測定作業の使用状態説明図である。
【図７】図７は、本発明の実施形態４に係る測定補助カートを示す側面図（図４、図５に対応する側面図）である。
【図８】図８は、本発明の実施形態５に係る測定補助カートを示す側面図（図４、図５、図７に対応する側面図）である。
【図９】図９は、移動操作部材を垂直に立ててメジャーとして利用している状態を示す側面図（図４、図５、図７、図８に対応する側面図）である。
【発明を実施するための形態】
【００２２】
以下、本発明に係る測定補助カートの実施形態（実施例）の５例について図面を参照しながら詳細に説明する。
【００２３】
（実施形態１の構成の説明）
図１〜図４は、本発明に係る測定補助カートの実施形態１を示す。以下、この実施形態１に係る測定補助カート１の構成について説明する。
【００２４】
（測定補助カート１の説明）
この実施形態１に係る測定補助カート１は、照度測定ポイントの高さＨが床面Ｆから１５ｃｍ以下の場合であって、その照度測定ポイントの照度を測定する時に、作業者Ｐの補助となる。この実施形態１に係る測定補助カート１は、カート本体２と、移動操作部材３と、測定装置取付部としての測定装置取付部材４と、表示部取付部材５と、脱落防止部材６と、照度測定装置７と、を備える。
【００２５】
測定補助カート１のカート本体２、移動操作部材３、測定装置取付部材４、表示部取付部材５もしくは脱落防止部材６のうち少なくとも１つ（好ましくは全部）は、反射光が照度測定装置７に入射するのを防ぐ部材からなる。または、測定補助カート１のカート本体２、移動操作部材３、測定装置取付部材４、表示部取付部材５もしくは脱落防止部材６のうち少なくとも１つには、反射光が照度測定装置７に入射するのを防ぐ処理（例えば、黒色塗装、表面エンボス加工）が、施されている。
【００２６】
（カート本体２の説明）
カート本体２は、図１、図２、図４に示すように、この例では、平面視形状（上から見た形状）が長方形もしくはほぼ長方形の板部材からなる。カート本体２は、軽量の板部材からなることが好ましい。カート本体２の下面の４角部分には、移動部材２０の取付部がボルトナットなどによりそれぞれ取り付けられている。カート本体２は、移動部材２０により、床面Ｆ上を移動することができる。
【００２７】
移動部材２０は、この例では、取付部に車輪を床面Ｆに対して平行な水平軸回り回転可能に取り付けられているキャスタ（自在車輪）である。なお、移動部材２０にストッパ（図示せず）を設けても良い。また、移動部材２０としては、この例のキャスタ以外に、たとえば、コロ（ボール、球）、摩擦係数が小さいフッ素樹脂を使用した部材であっても良い。
【００２８】
（移動操作部材３の説明）
移動操作部材３は、図１〜図４に示すように、この例では、長手方向に伸縮可能である棒形状をなす。移動操作部材３の一端は、カート本体２の上面の１辺の中間部分に取付具３０を介して、床面Ｆに対して平行な水平軸回り回転可能に取り付けられている。移動操作部材３の他端は、作業者Ｐが把持する部分である。移動操作部材３は、作業者Ｐの操作力をカート本体２に伝達してカート本体２を床面Ｆ上を移動させるものである。
【００２９】
取付具３０は、移動操作部材３を、回転させることができ、かつ、任意の角度もしくは所定の角度において、停止させるストッパ機構を備えている。この結果、取付具３０は、移動操作部材３をカート本体２に対して任意の角度に傾斜させることができる。
【００３０】
移動操作部材３は、この例では、パイプ形状（中空形状で円筒柱形状）をなす。移動操作部材３は、カート本体２側の第１部材３１と、作業者Ｐ側の第２部材３２と、中間の止部材３３と、を備える。第１部材３１と第２部材３２とは、中間の止部材３３により、相互に、長手方向に伸縮可能（図２中の実線矢印参照）であり、かつ、任意の長さに調節することができる。すなわち、第１部材３１もしくは第２部材３２のいずれか一方が、止部材３３を介して、第１部材３１もしくは第２部材３２のいずれか他方中に出し入れ可能に挿入されている。
【００３１】
（測定装置取付部材４の説明）
測定装置取付部としての測定装置取付部材４は、図４に示すように、この例では、いわゆる、カメラねじである。測定装置取付部材４のカメラねじの下端は、カート本体２の上面の移動操作部材３に対して反対側の１辺の中間部分に一体にもしくは着脱可能に設けられている。測定装置取付部材４のカメラねじの上端には、照度測定装置７が着脱可能に取り付けられている。この時、床面Ｆから照度測定装置７の受光面までの高さＨが１５ｃｍ以下となるように、カート本体２、測定装置取付部材４のカメラねじおよび照度測定装置７が構成されている。この結果、照度測定ポイントの高さＨが床面Ｆから１５ｃｍ以下となる。なお、測定装置取付部材４として、この例のカメラねじ以外に、単なるねじであっても良い。
【００３２】
（表示部取付部材５の説明）
表示部取付部材５は、移動操作部材３の第２部材３２のうち作業者Ｐが把持する近傍の部分に一体にもしくは着脱可能に設けられている。表示部取付部材５は、図１、図３に示すように、この例では、ホルダ部材であって、多機能用の表示部５０を着脱可能に取り付けるものである。多機能用の表示部５０は、この例では、スマートフォンやタブレットなどの携帯端末機器（スマートデバイス）である。多機能用の表示部５０は、照度測定装置７により測定された照度測定値を表示するものである。
【００３３】
（脱落防止部材６の説明）
脱落防止部材６は、移動操作部材３の第２部材３２のうち作業者Ｐが把持する近傍の部分に一体にもしくは着脱可能に設けられている。脱落防止部材６は、図１に示すように、この例では、ストラップであって、作業者Ｐの身例えば手首に着けることにより、移動操作部材３の第２部材３２のうち作業者Ｐが把持する部分が作業者Ｐから脱落するのを防ぐことができるものである。
【００３４】
（照度測定装置７の説明）
照度測定装置７は、図１、図２に示すように、受光部７０と、本体部７１と、を備える。本体部７１は、制御部（図示せず）と、記憶部（図示せず）と、無線通信部（図示せず）と、専用の表示部７２と、操作部７３と、を有する。照度測定装置７の受光部７０の受光面（受光箇所）以外の部分は、反射光が受光面に入射するのを防ぐ部材からなり、または、その部分には、反射光が受光面に入射するのを防ぐ処理が、施されている。
【００３５】
受光部７０は、ホトダイオードなどの照度センサを有する。受光部７０は、照明光や自然光などを受けて光データとして本体部７１の制御部に出力する。制御部は、受光部７０からの光データに基づいて照度データとして演算して本体部７１の記憶部および無線通信部と表示部７２にそれぞれ出力する。記憶部は、照度データを記憶する。無線通信部は、照度データを携帯用の表示部５０に送信する。表示部７２は、照度データを表示する。操作部７３は、照度測定装置７の操作を行う。また、多機能用の表示部５０は、無線通信部を介して、照度測定装置７の操作を行うことができる。
【００３６】
（実施形態１の作用の説明）
この実施形態１に係る測定補助カート１は、以上のごとき構成からなり、以下、この実施形態１に係る測定補助カート１の作用について説明する。
【００３７】
まず、準備作業として、カート本体２に照度測定装置７を測定装置取付部材４のカメラねじを介して着脱可能に取り付ける。この時、床面Ｆから照度測定装置７の受光面までの高さＨは、１５ｃｍ以下である。図２中の実線矢印に示すように、移動操作部材３の第１部材３１と第２部材３２とを止部材３３を介して伸縮させる。これにより、移動操作部材３の長さを、作業者Ｐの影や作業者Ｐからの反射光が照度測定装置７の受光面に入らない程度の長さに調節する。作業者Ｐは、一方の手で移動操作部材３の他端を把持する。この時、手を脱落防止部材６に通しておく。作業者Ｐは、他方の手で多機能用の表示部５０を持つ。あるいは、表示部取付部材５に多機能用の表示部５０を着脱可能に取り付ける。
【００３８】
つぎに、測定作業として、作業者Ｐは、移動操作部材３を押したり引いたりして床面Ｆ上のカート本体２を所定の照度測定ポイントに移動させる。この時、作業者Ｐが把持する移動操作部材３を取付具３０を介してカート本体２に対して任意の角度に傾斜させることができる。所定の照度測定ポイントにおいて、多機能用の表示部５０を操作して照度測定を行う。測定された照度は、多機能用の表示部５０において表示され、また、照度測定装置７の記憶部において記憶される。所定の照度測定ポイントにおける照度測定が完了したならば、カート本体２をつぎの照度測定ポイントに移動させて照度測定を行う。以下、同様にして、所定数の所定箇所の照度測定ポイントの照度測定を行う。このようにして、測定作業が終了する。
【００３９】
（実施形態１の効果の説明）
この実施形態１に係る測定補助カート１は、以上のごとき構成、作用からなり、以下、この実施形態１に係る測定補助カート１の効果について説明する。
【００４０】
この実施形態１に係る測定補助カート１は、カート本体２が移動部材２０を有し、移動操作部材３の一端がカート本体２に取り付けられていて、照度測定装置７がカート本体２に測定装置取付部材４のカメラねじを介して取り付けられている、ものである。これにより、この実施形態１に係る測定補助カート１は、移動操作部材３により床面Ｆ上のカート本体２を移動部材２０を介して所定の照度測定ポイントに移動させることができ、かつ、カート本体２に測定装置取付部材４のカメラねじを介して取り付けられている照度測定装置７により照度を測定することができる。この結果、この実施形態１に係る測定補助カート１は、照度測定ポイントの高さＨが床面から１５ｃｍ以下の照度測定の場合において、数百から数千に及ぶ屈伸動作が不要となるので、作業者への身体的負担を軽減することができる。しかも、この実施形態１に係る測定補助カート１は、カート本体２の移動作業と照度測定作業以外の作業が不要となるので、作業時間を短縮して多点測定（多点の照度測定）の高効率化を図ることができる。
【００４１】
この実施形態１に係る測定補助カート１は、移動操作部材３が長手方向に伸縮可能である棒形状をなす、ものである。これにより、この実施形態１に係る測定補助カート１は、移動操作部材３を長手方向に伸縮させることができるので、移動操作部材３の長さを、作業者Ｐの影や作業者Ｐからの反射光が照度測定装置７の受光面に入らない程度の長さに調節することができる。この結果、この実施形態１に係る測定補助カート１は、作業者Ｐの影や作業者Ｐからの反射光の影響を受けずに、正確に照度を測定することができる。
【００４２】
この実施形態１に係る測定補助カート１は、移動操作部材３の他端に表示部取付部材５を設けるものである。これにより、この実施形態１に係る測定補助カート１は、移動操作部材３の他端の表示部取付部材５に多機能用の表示部５０を着脱可能に取り付けることができる。この結果、この実施形態１に係る測定補助カート１は、作業者Ｐの多機能用の表示部５０を持つ手を自由に使うことができるので、一人の作業者Ｐで照度測定作業を行うことができ、さらに、照度測定作業の高効率化を図ることができる。
【００４３】
この実施形態１に係る測定補助カート１は、移動操作部材３の他端に脱落防止部材６を設けるものである。これにより、この実施形態１に係る測定補助カート１は、作業者Ｐの移動操作部材３の他端を把持する手を脱落防止部材６に通すと、移動操作部材３の他端から手を放しても、脱落防止部材６により移動操作部材３の他端を手から脱落するのを防ぐことができる。この結果、この実施形態１に係る測定補助カート１は、作業者Ｐの両手が自由に使用することができるので、一人の作業者Ｐで照度測定作業を行うことができ、さらに、照度測定作業の高効率化を図ることができる。
【００４４】
この実施形態１に係る測定補助カート１は、照度測定装置７を備え、カート本体２、移動操作部材３、測定装置取付部材４のカメラねじ、表示部取付部材５もしくは脱落防止部材６のうち少なくとも１つが反射光が照度測定装置７の受光面に入射するのを防ぐ部材からなり、または、カート本体２、移動操作部材３、測定装置取付部材４のカメラねじ、表示部取付部材５もしくは脱落防止部材６のうち少なくとも１つには反射光が照度測定装置７の受光面に入射するのを防ぐ処理が施されている、ものである。これにより、この実施形態１に係る測定補助カート１は、カート本体２、移動操作部材３、測定装置取付部材４のカメラねじ、表示部取付部材５もしくは脱落防止部材６のうち少なくとも１つからの反射光が照度測定装置７の受光面に入射するのを防ぐことができる。この結果、この実施形態１に係る測定補助カート１は、カート本体２、移動操作部材３、測定装置取付部材４のカメラねじ、表示部取付部材５もしくは脱落防止部材６のうち少なくとも１つからの反射光の影響を受けずに、さらに正確に照度を測定することができる。
【００４５】
図５は、本発明に係る測定補助カートの実施形態２を示す。以下、この実施形態２に係る測定補助カート１Ａについて説明する。図中、図１〜図４と同符号は、同一のものを示す。
【００４６】
前記の実施形態１に係る測定補助カート１は、測定装置取付部の測定装置取付部材４として、カメラねじなどのねじを使用するものである。これに対して、この実施形態２に係る測定補助カート１Ａは、測定装置取付部の測定装置取付部材４Ａとして、雲台を使用するものである。この実施形態２に係る測定補助カート１Ａは、測定装置取付部材４Ａの雲台の下端をカート本体２に一体にもしくは着脱可能に取り付け、その測定装置取付部材４Ａの雲台の上端に照度測定装置７を着脱可能に取り付ける。
【００４７】
この実施形態２に係る測定補助カート１Ａは、以上のごとき構成からなるので、前記の実施形態１に係る測定補助カート１の作用、効果とほぼ同様の作用、効果を達成することができる。しかも、この実施形態２に係る測定補助カート１Ａは、測定装置取付部の測定装置取付部材４Ａとして、雲台を使用するものであるから、その測定装置取付部材４Ａの雲台を介して、カート本体２に照度測定装置７を確実に取り付けることができる。
【００４８】
図６は、本発明に係る測定補助カートの実施形態３を示す。以下、この実施形態３に係る測定補助カート１Ｂについて説明する。図中、図１〜図５と同符号は、同一のものを示す。
【００４９】
前記の実施形態１に係る測定補助カート１は、表示部として、多機能用の表示部５０を使用するものである。これに対して、この実施形態３に係る測定補助カート１Ｂは、表示部として、照度測定装置７の表示部７２を使用するものである。この実施形態３に係る測定補助カート１Ｂは、照度測定装置７の受光部７０と本体部７１とが取外取付可能に構成されている、ものである。受光部７０と本体部７１とは、ケーブル７４で接続されている。本体部７１は、図６に示すように、作業者Ｐの手で保持され、あるいは、移動操作部材３の他端の表示部取付部材５に着脱可能に取り付けられる（図３参照）。
【００５０】
この実施形態３に係る測定補助カート１Ｂは、以上のごとき構成からなるので、前記の実施形態１、２に係る測定補助カート１、１Ａの作用、効果とほぼ同様の作用、効果を達成することができる。しかも、この実施形態３に係る測定補助カート１Ｂは、照度測定装置７の本体部７１の表示部７２を使用するものであるから、コストを安価にすることができる。
【００５１】
図７は、本発明に係る測定補助カートの実施形態４を示す。以下、この実施形態４に係る測定補助カート１Ｃについて説明する。図中、図１〜図６と同符号は、同一のものを示す。
【００５２】
前記の実施形態１、２、３に係る測定補助カート１、１Ａ、１Ｂは、移動部材２０として、小径のキャスタを使用するものである。これに対して、この実施形態４に係る測定補助カート１Ｃは、移動部材２１として、大径のキャスタを使用するものである。前記の実施形態１、２、３に係る測定補助カート１、１Ａ、１Ｂは、カート本体２の下面と移動部材２０の取付部とが水平方向（床面Ｆに対してほぼ平行な方向）にほぼ一致している（図４参照）。これに対して、この実施形態４に係る測定補助カート１Ｃは、カート本体２の下面と移動部材２１の取付部とが上下方向に互い違いとなっている（図７参照）。この結果、床面Ｆから照度測定装置７の受光面までの高さＨを１５ｃｍ以下にすることができる。
【００５３】
この実施形態４に係る測定補助カート１Ｃは、以上のごとき構成からなるので、前記の実施形態１、２、３に係る測定補助カート１、１Ａ、１Ｂの作用、効果とほぼ同様の作用、効果を達成することができる。しかも、この実施形態４に係る測定補助カート１Ｃは、移動部材２１として大径のキャスタを使用するので、カート本体２を小さい操作力でスムーズに移動させることができ、さらに、照度測定作業の高効率化を図ることができる。
【００５４】
図８、図９は、本発明に係る測定補助カートの実施形態５を示す。以下、この実施形態５に係る測定補助カート１Ｄについて説明する。図中、図１〜図７と同符号は、同一のものを示す。
【００５５】
前記の実施形態１、２、３、４に係る測定補助カート１、１Ａ、１Ｂ、１Ｃは、照度測定ポイントの高さＨが床面Ｆから１５ｃｍ以下の場合に使用されるものである。これに対して、この実施形態５に係る測定補助カート１Ｄは、照度測定ポイントの高さＨが床面Ｆから１５ｃｍを超える場合に使用され、主に８０ｃｍ〜１００ｃｍの場合に使用されるものである。
【００５６】
測定装置取付部としての測定装置取付部材４０の一端（下端）がカート本体２の上面のほぼ中央に取り付けられている。測定装置取付部材４０の他端（上端）には、照度測定装置７が着脱可能に取り付けられている。測定装置取付部材４０は、この例では、長手方向に伸縮可能である棒形状をなす。
【００５７】
測定装置取付部材４０は、この例では、パイプ形状（中空形状で円筒柱形状）をなす。測定装置取付部材４０は、カート本体２側の第１部材４１と、照度測定装置７側の第２部材４２と、中間の止部材４３と、を備える。第１部材４１と第２部材４２とは、中間の止部材４３により、相互に、長手方向に伸縮可能（図８中の実線矢印参照）であり、かつ、任意の長さに調節することができる。すなわち、第１部材４１もしくは第２部材４２のいずれか一方が、止部材４３を介して、第１部材４１もしくは第２部材４２のいずれか他方中に出し入れ可能に挿入されている。この結果、床面Ｆから照度測定装置７の受光面までの高さＨを８０ｃｍ〜１００ｃｍにすることができる。移動操作部材３には、長さ目盛３４が付されている。
【００５８】
この実施形態５に係る測定補助カート１Ｄは、以上のごとき構成からなるので、前記の実施形態１、２、３、４に係る測定補助カート１、１Ａ、１Ｂ、１Ｃの作用、効果とほぼ同様の作用、効果を達成することができる。特に、この実施形態５に係る測定補助カート１Ｄは、照度測定ポイントの高さＨが床面Ｆから８０ｃｍ〜１００ｃｍの場合に使用することができる。しかも、この実施形態５に係る測定補助カート１Ｄは、図９に示すように、移動操作部材３に長さ目盛３４を付しているので、移動操作部材３を床面Ｆに対して垂直に立てると、床面Ｆから照度測定装置７の受光面までの高さＨ１を一目で読み取ることができ、さらに、照度測定作業の高効率化を図ることができる。
【００５９】
（実施形態１〜５以外の例の説明）
なお、前記の実施形態１〜５においては、測定装置として、照度を測定する照度測定装置７を使用するものである。しかしながら、この発明においては、測定装置として、照度を測定する照度測定装置７以外に、例えば、塵埃濃度、温度、湿度、ガス濃度などを測定する塵埃濃度測定装置、温度測定装置、湿度測定装置、ガス濃度測定装置などを使用するものであっても良い。
【００６０】
また、前記の実施形態１〜５においては、移動操作部材３が長手方向に伸縮可能である棒形状をなすものである。しかしながら、この発明においては、移動操作部材として、長手方向の長さが固定的な棒形状であっても良いし、また、引き紐などの引き部材であっても良い。
【００６１】
さらに、前記の実施形態１〜５においては、測定装置取付部として、カメラねじの測定装置取付部材４、雲台の測定装置取付部材４Ａ、パイプ形状の測定装置取付部材４０を使用するものである。しかしながら、この発明においては、測定装置取付部として、カート本体２に、照度測定装置７などの測定装置を取り付ける場所を表示するものであっても良い。たとえば、カート本体２の所定の位置に照度測定装置７などの測定装置を取り付けてくださいという指示のための枠線やマークをカート本体２に描いたものであっても良い。この場合において、カート本体２に照度測定装置７などの測定装置を取り付ける手段としては、ゴムバンドで留める、あるいは、大きめのクリップで留める、などの手段がある。
【００６２】
さらにまた、前記の実施形態１においては、カート本体２に測定装置取付部としての測定装置取付部材４のカメラねじが予め取り付けられているものである。しかしながら、この発明においては、カート本体２のねじ孔から測定装置取付部材４のカメラねじを取り外しておいて、カート本体２のねじ孔の位置に枠線やマークを描いたものであっても良い。
【００６３】
なお、この発明は、前記の実施形態１〜５により限定されるものではない。
【符号の説明】
【００６４】
１、１Ａ、１Ｂ、１Ｃ…測定補助カート
２…カート本体
２０、２１…移動部材
３…移動操作部材
３０…取付具
３１…第１部材
３２…第２部材
３３…止部材
３４…長さ目盛
４、４Ａ、４０…測定装置取付部材
４１…第１部材
４２…第２部材
４３…止部材
５…表示部取付部材
５０…多機能用の表示部
６…脱落防止部材
７…照度測定装置
７０…受光部
７１…本体部
７２…表示部
７３…操作部
７４…ケーブル
Ｆ…床面
Ｈ、Ｈ１…高さ
Ｐ…作業者
【図１】
2019020221.tif 000003
【図２】
2019020221.tif 000004
【図３】
2019020221.tif 000005
【図４】
2019020221.tif 000006
【図５】
2019020221.tif 000007
【図６】
2019020221.tif 000008
【図７】
2019020221.tif 000009
【図８】
2019020221.tif 000010
【図９】
2019020221.tif 000011